(57)【特許請求の範囲】
【請求項１】
上下方向に回転中心軸を有する洗濯兼脱水槽と、この洗濯兼脱水槽の外側に位置し脱水時の水を受ける外槽と、前記洗濯兼脱水槽の底部に回転自在に配設したパルセータと、前記パルセータおよび洗濯兼脱水槽を駆動するモータとを備え、前記洗濯兼脱水槽の内周壁面には略回転軸方向に長い複数のビードを突設し、かつ、前記ビードは上下方向で分割することで、上下のビード間に隙間を形成し、周方向において隣り合う隙間が前記洗濯兼脱水槽の脱水回転方向とは逆方向に進むにつれて上昇する位置に存在するように構成することで、前記回転軸方向に対し傾斜した前記隙間による列を形成するようにした脱水兼用洗濯機。
【請求項２】
隙間による列が複数本存在するように構成した請求項１記載の脱水兼用洗濯機。
【請求項３】
ビード断面を略三角形状とした請求項１または２記載の脱水兼用洗濯機。
【請求項４】
上下方向の分割によるビード相互間の隙間に通水孔を設けた請求項１〜３のいずれか１項に記載の脱水兼用洗濯機。
【発明の詳細な説明】
【０００１】
【発明の属する技術分野】
本発明は、洗濯、すすぎ、脱水の一連の行程を自動的に行う脱水兼用洗濯機に関する。
【０００２】
【従来の技術】
従来、この種の脱水兼用洗濯機は図１０に示すよう構成していた。以下、その構成について説明する。
【０００３】
図に示すように、外槽１は、底部にパルセータ２を回転自在に配設した洗濯兼脱水槽３を内包し、吊り棒４により洗濯機外枠５に防振支持されている。洗濯兼脱水槽３の内周壁面には多数の通水孔６とビード７を等間隔ピッチで設けている。この構成で、洗濯、すすぎ、脱水の行程を自動的に行うようにしている。
【０００４】
しかし、この構成では、洗濯兼脱水槽３の内周壁面の等間隔ピッチの通水孔６およびビード７により、不快な風切り音を発生する。この風切り音は次式に示すように、洗濯兼脱水槽３の回転数と通水孔６およびビード７の個数により決まる一定の周波数音である。
【０００５】
ｆ＝ｎ×Ｚ
ただし、ｆ：風切り音の周波数  （Ｈｚ）
ｎ：洗濯兼脱水槽３の回転周波数（回転数（ｒｐｍ）／６０）（Ｈｚ）
Ｚ：等間隔ピッチの通水孔またはビードの個数
この問題を解決するために、図１１に示すような、通水孔６を不等間隔ピッチにする構成が提案されている。
【０００６】
【発明が解決しようとする課題】
しかし、このような従来の構成では、通水孔６、ビード７が不等間隔ピッチであるため、ピッチの間隔が不均一であり、洗浄性能や脱水性能の悪化を招くという問題を有していた。また、脱水むら、洗濯むらも発生しやすいという問題を有していた。
【０００７】
また、洗濯兼脱水槽３の内周壁面は使用者によく目立つ箇所であるため、デザイン的にも好ましくないという問題を有していた。
【０００８】
本発明は上記課題を解決するもので、脱水回転時に洗濯兼脱水槽の内側に発生する風切り音を整流し、また、一定の周波数の風切り音を分散させて、全体の騒音値を低減することを目的としている。
【０００９】
【課題を解決するための手段】
本発明は上記目的を達成するもので、上下方向に回転中心軸を有する洗濯兼脱水槽の外側に脱水時の水を受ける外槽を位置させ、洗濯兼脱水槽の底部に回転自在にパルセータを配設し、パルセータおよび洗濯兼脱水槽をモータにより駆動する。洗濯兼脱水槽の内周壁面には略回転軸方向に長い複数のビードを突設し、かつ、ビードは上下方向で分割することで、上下のビード間に隙間を形成し、周方向において隣り合う隙間が洗濯兼脱水槽の脱水回転方向とは逆方向に進むにつれて上昇する位置に存在するように構成することで、前記回転軸方向に対し傾斜した前記隙間による列を形成するようにしたものである。
【００１０】
これにより、脱水回転時に洗濯兼脱水槽の内側に発生する風切り音を、ビード隙間の傾斜に沿って上昇する風の流れを作ることによって整流することができ、また、ビード長さが順次変化していくことで、一定の周波数の風切り音を分散させて、全体の騒音値を低減することができる。
【００１１】
【発明の実施の形態】
本発明の請求項１に記載の発明は、上下方向に回転中心軸を有する洗濯兼脱水槽と、この洗濯兼脱水槽の外側に位置し脱水時の水を受ける外槽と、前記洗濯兼脱水槽の底部に回転自在に配設したパルセータと、前記パルセータおよび洗濯兼脱水槽を駆動するモータとを備え、前記洗濯兼脱水槽の内周壁面には略回転軸方向に長い複数のビードを突設し、かつ、前記ビードは上下方向で分割することで、上下のビード間に隙間を形成し、周方向において隣り合う隙間が前記洗濯兼脱水槽の脱水回転方向とは逆方向に進むにつれて上昇する位置に存在するように構成することで、前記回転軸方向に対し傾斜した前記隙間による列を形成するようにしたものであり、脱水回転時に洗濯兼脱水槽の内側に発生する風切り音を、ビード隙間の列に沿って上昇する風の流れを作ることによって整流し、また、ビード長さが順次変化していくことで、一定の周波数の風切り音を分散させて全体の騒音値を低減することができる。また、脱水行程での衣類の洗濯兼脱水槽への貼り付きに対し、ビード隙間が衣類と洗濯兼脱水槽間に隙間を形成し、さらにビード隙間による列が脱水時に水の流れる通路となることで脱水効率を向上することができ、また、回転軸方向に縦長のビードを突設し、さらに上下方向でビードを分割することにより、回転軸方向の断面係数が大きくなり、洗濯兼脱水槽のたる型あるいはつづみ型への変形を防止することができ、剛性を向上することができる。
【００１２】
請求項２に記載の発明は、上記請求項１に記載の発明において、隙間による列が複数本存在するように構成したものであり、脱水回転数に対応した傾斜角度と傾斜本数を設定することができ、さらに効率よく風切り音を低減し、脱水効率を向上することができる。
【００１３】
請求項３に記載の発明は、上記請求項１または２に記載の発明において、ビード断面を略三角形状としたものであり、脱水行程において衣類が洗濯兼脱水槽へ貼り付きにくくなり、脱水効率を向上することができるとともに、略三角形状の先端が洗濯板効果となり、洗濯効率を向上することができる。また、略三角形状の勾配を適度に設定することで、脱水回転による風を逃がし、風切り音が発生しにくいようにすることができる。
【００１４】
請求項４に記載の発明は、上記請求項１〜３のいずれか１つに記載の発明において、上下方向の分割によるビード相互間の隙間に通水孔を設けたものであり、脱水時に水の流れる通路上に通水孔を増やすことで、脱水効率を向上することができる。
【００１５】
【実施例】
以下、本発明の実施例について、図面を参照しながら説明する。
【００１６】
（実施例１）
図１に示すように、外槽１１は、底部にパルセータ１２を回転自在に配設した洗濯兼脱水槽１３を内包し、吊り棒１４により洗濯機外枠１５に防振支持されている。モータ１６は、減速機構１７を介してパルセータ１２および洗濯兼脱水槽１３を駆動する。
【００１７】
洗濯兼脱水槽１３の内周壁面には、図２に示すように、略回転軸方向に複数の長いビード１８を突設し、かつ、ビード１８は上下方向で分割するとともに、この分割部分の相互間に隙間１８ａを形成し、水平方向において隣り合う隙間１８ａが洗濯兼脱水槽１３の脱水回転とは逆方向に進むにつれて上昇する位置に存在するように構成している。
【００１８】
上記構成において動作を説明する。洗濯、すすぎ行程を終了して脱水行程に入ると、洗濯兼脱水槽１３が回転し始める。やがて回転数が安定する脱水定常時に達すると、一定の周波数の風切り音（例えば４８０Ｈｚ）が発生する。ここで、洗濯兼脱水槽１３の内周壁面のビードの隙間１８ａの列に沿って上昇する風の流れ１９が発生し、通水孔２０およびビード１８によって生じる小さな渦（乱流）をかき消し、整流しながら上昇することによって、一定の周波数の風切り音を分散させて全体の騒音値を低減することができる。
【００１９】
また、ビードの隙間１８ａが脱水行程での衣類の洗濯兼脱水槽１３への貼り付きに対して隙間を形成し、さらにビードの隙間１８ａによる列が脱水時に水の流れる通路２１となることで、脱水効率を向上することができる。
【００２０】
また、回転軸方向に縦長のビード１８を設けて、さらにビード１８を途中で分割したことで、回転軸方向の断面係数が大きくなり、洗濯兼脱水槽１３のたる型あるいはつづみ型への変形を防止することができ、剛性を向上することができる。
【００２１】
（実施例２）
図３に示すように、洗濯兼脱水槽１３の内周壁面に略回転軸方向に複数の長いビード１８を突設し、ビード１８は上下方向で分割するとともに、この分割部分の相互間に隙間１８ａを形成し、ビードの隙間１８ａによる列が、数個存在するように構成している。他の構成は上記実施例１と同じである。
【００２２】
上記構成において動作を説明する。一定の周波数の風切り音を分散させて全体の騒音値を低減する動作は、上記実施例１と同じであるので説明を省略する。ここで、ビードの隙間１８ａによる列を複数個持つことで、脱水定常回転数（例えば９００ｒｐｍ）に対応した傾斜角度（例えば４５°）と傾斜本数（例えば４本）を設定することによって、より効率よく騒音値を低減することができる。
【００２３】
（実施例３）
図４に示すように、ビード２２は、断面を略三角形状に構成している。他の構成は上記実施例１または２と同じである。
【００２４】
上記構成において動作を説明する。洗濯、すすぎ行程を終了して脱水行程に入ると、洗濯兼脱水槽１３が回転し、衣類が洗濯兼脱水槽１３へ貼り付き始めるが、ビード２２の断面を略三角形状とすることで貼り付きにくくなり、脱水効率を向上することができると同時に、ビード２２の略三角形状の先端部分が洗濯板効果となり、洗濯効率を向上することができる。
【００２５】
また、ビード２２の略三角形状の勾配を適度に設定（例えば５゜〜１０゜）することで脱水回転による風を逃がし、風切り音を発生しにくくすることができる。
【００２６】
（実施例４）
図５に示すように、分割されたビード２２の隙間２２ａに通水孔２０を設けた構成としている。他の構成は上記実施例１または２と同じである。
【００２７】
上記構成において動作を説明する。脱水回転時に洗濯兼脱水槽１３の内周壁面のビードの隙間２２ａの列が水の流れる通路となり、この通路上に通水孔２０を増やすことで、脱水効率を向上することができ、また、このビードの隙間２２ａの列上に通水孔２０をさらに増やすことで、より脱水効率を向上することはいうまでもない。
【００２８】
なお、本実施例では、ビード２２は、上記実施例３と同様に、断面を略三角形状に構成しているが、断面は略三角形状でなくてもよい。
【００２９】
（実施例５）
図６に示すように、ビード２２は、回転軸方向に対し傾斜をもつ構成としている。他の構成は上記実施例１または２と同じである。
【００３０】
上記構成において動作を説明する。脱水回転時に洗濯兼脱水槽１３の内周壁面のビードの隙間２２ａの列に沿って上昇する風の流れ１９の発生と同様に、ビード２２に沿って上昇する風の流れ２３が発生し、脱水時、風切り音の整流作用が増加する。また洗濯、すすぎ行程時のパルセータ１２の正転、反転によって衣類がビード２２に沿って転動し、布まわりがよくなり、洗浄効率およびすすぎ効率を向上することができる。
【００３１】
なお、本実施例では、ビード２２は、上記実施例３と同様に、断面を略三角形状に構成しているが、断面は略三角形状でなくてもよい。
【００３２】
（実施例６）
図７に示すように、洗濯兼脱水槽１３の内周壁面における、ビード２２または上下方向に分割されたビードの隙間２２ａの列の向き合うものが存在する構成としている。他の構成は上記実施例１または２と同じである。
【００３３】
上記構成において動作を説明する。洗濯、すすぎ行程時にはパルセータ１２の正転、反転によって衣類がビードの隙間２２ａに沿って転動するが、ビード２２または分割されたビードの隙間２２ａの列の向き合うものが存在することにより、逆回転の布の転動を交えることで衣類の捻れを低減し、布がらみ抑制することができる。
【００３４】
なお、本実施例では、ビード２２は、上記実施例３と同様に、断面を略三角形状に構成しているが、断面は略三角形状でなくてもよい。
【００３５】
（実施例７）
図８に示すように、洗濯兼脱水槽１３の内周壁面には、略回転軸方向に複数の長い凹状のビード２４を有し、かつ、ビード２４は上下方向で分割するとともに、この分割部分の相互間に隙間を形成し、水平方向において隣り合う隙間が洗濯兼脱水槽１３の脱水回転とは逆方向に進むにつれて上昇する位置に存在する構成としている。他の構成は上記実施例１と同じである。
【００３６】
上記構成において動作を説明する。洗濯、すすぎ行程を終了して脱水行程に入ると、洗濯兼脱水槽１３が回転を始める。やがて回転数が安定する脱水定常時に達すると、一定の周波数の風切り音（例えば４８０Ｈｚ）が発生する。ここで、洗濯兼脱水槽１３の外周壁面のビード隙間の列に沿って上昇する風の流れが発生し、通水孔２０およびビード２４によって生じる小さな渦（乱流）をかき消し、整流しながら上昇することによって、一定の周波数の風切り音を分散させて全体の騒音値を低減することができる。
【００３７】
（実施例８）
図９に示すように、ビード２５は、断面を略三角形状とし、かつ、ビード２５の最深部分に通水孔２０を設けた構成としている。他の構成は上記実施例７と同じである。
【００３８】
上記構成において動作を説明する。脱水回転時に凹状のビードのため、衣類と洗濯兼脱水槽１３に必ず隙間が発生し、さらにビード２５が略三角形状のため、勾配にそって効率よく排水ができ脱水率を向上することができる。
【００３９】
また、ビード２５の略三角形状の勾配を適度に設定（例えば５゜〜１０゜）することで脱水回転による風を逃がし、風切り音が発生しにくくすることができる。
【００４０】
【発明の効果】
以上のように本発明の請求項１に記載の発明によれば、上下方向に回転中心軸を有する洗濯兼脱水槽と、この洗濯兼脱水槽の外側に位置し脱水時の水を受ける外槽と、前記洗濯兼脱水槽の底部に回転自在に配設したパルセータと、前記パルセータおよび洗濯兼脱水槽を駆動するモータとを備え、前記洗濯兼脱水槽の内周壁面には略回転軸方向に長い複数のビードを突設し、かつ、前記ビードは上下方向で分割することで、上下のビード間に隙間を形成し、周方向において隣り合う隙間が前記洗濯兼脱水槽の脱水回転方向とは逆方向に進むにつれて上昇する位置に存在するように構成することで、前記回転軸方向に対し傾斜した前記隙間による列を形成するようにしたから、脱水回転時に洗濯兼脱水槽の内側に発生する風切り音をビード隙間の列に沿って上昇する風の流れを作ることによって整流し、また、ビード長さが順次変化していくことで、一定の周波数の風切り音を分散させて全体の騒音値を低減することができる。また、ビード間の隙間が脱水行程での衣類の洗濯兼脱水槽への貼り付き時に隙間を作り、さらにビード隙間による列の傾斜が脱水時に水の流れる通路となることで脱水効率を向上することができ、また、回転軸方向に縦長のビードを突設し、さらに上下方向でビードを分割することにより、回転軸方向の断面係数が大きくなり、洗濯兼脱水槽のたる型あるいはつづみ型への変形を防止することができ、剛性を向上することができる。
【００４１】
また、請求項２に記載の発明によれば、隙間による列が複数本存在するように構成したから、脱水回転数に対応した傾斜角度と傾斜本数を設定することができ、さらに効率よく風切り音を低減し、脱水効率を向上することができる。
【００４２】
また、請求項３に記載の発明によれば、ビード断面を略三角形状としたから、脱水行程において衣類が洗濯兼脱水槽へ貼り付きにくくなり、脱水効率を向上することができるとともに、略三角形状の先端が洗濯板効果となり、洗濯効率を向上することができる。また、略三角形状の勾配を適度に設定することで、脱水回転による風を逃がし、風切り音が発生しにくいようにすることができる。
【００４３】
また、請求項４に記載の発明によれば、上下方向の分割によるビード相互間の隙間に通水孔を設けたから、脱水時に水の流れる通路上に通水孔を増やすことで、脱水効率を向上することができる。
【図面の簡単な説明】
【図１】  本発明の第１の実施例の脱水兼用洗濯機の断面図
【図２】  同脱水兼用洗濯機の洗濯兼脱水槽の展開図
【図３】  本発明の第２の実施例の脱水兼用洗濯機の洗濯兼脱水槽の展開図
【図４】  本発明の第３の実施例の脱水兼用洗濯機の洗濯兼脱水槽の要部断面図
【図５】  本発明の第４の実施例の脱水兼用洗濯機の洗濯兼脱水槽の要部展開図
【図６】  本発明の第５の実施例の脱水兼用洗濯機の洗濯兼脱水槽の要部展開図
【図７】  本発明の第６の実施例の脱水兼用洗濯機の洗濯兼脱水槽の展開図
【図８】  本発明の第７の実施例の脱水兼用洗濯機の洗濯兼脱水槽の要部断面図
【図９】  本発明の第８の実施例の脱水兼用洗濯機の洗濯兼脱水槽の要部断面図
【図１０】  従来の脱水兼用洗濯機の一例の断面図
【図１１】  同脱水兼用洗濯機の他の例の断面図
【符号の説明】
１１  外槽
１２  パルセータ
１３  洗濯兼脱水槽
１６  モータ
１８  ビード
１８ａ  ビードの隙間
【図１】
0003864521.tif 000002
【図２】
0003864521.tif 000003
【図３】
0003864521.tif 000004
【図４】
0003864521.tif 000005
【図５】
0003864521.tif 000006
【図６】
0003864521.tif 000007
【図７】
0003864521.tif 000008
【図８】
0003864521.tif 000009
【図９】
0003864521.tif 000010
【図１０】
0003864521.tif 000011
【図１１】
0003864521.tif 000012